(57)【特許請求の範囲】
【請求項１】
Ｗ-ＣＤＭＡ方式にて個別物理チャネルを用いて通信端末装置と通信を行うと共に複数の通信端末装置が共通で使用する共有チャネルを用いてパケットデータを時分割多重して通信端末装置に送信する基地局装置に具備され、前記共有チャネルを用いて送信するパケットデータのスケジュールを作成するスケジュール作成装置であって、
前記個別物理チャネルのコンプレストモードにおいて前記個別物理チャネルの信号を送信しない時間である送信ギャップを取得する取得手段と、前記個別物理チャネルの信号を送信する時間に前記個別物理チャネルに対応する通信端末装置宛に前記共有チャネルを用いてパケットデータを送信するスケジュールを作成するスケジュール作成手段と、を具備し、
前記スケジュール作成手段は、前記送信ギャップの時間に前記通信端末以外の通信端末装置宛に前記共有チャネルを用いてパケットデータを送信するスケジュールを作成することを特徴とするスケジュール作成装置。
【請求項２】
取得手段は、前記個別物理チャネルの送信信号のパワーを検出し、スケジュール作成手段は、前記送信信号のパワーが低い時間から優先的に前記共有チャネルを用いてパケットデータを送信するスケジュールを作成することを特徴とする請求項１に記載のスケジュール作成装置。
【請求項３】
請求項１または請求項２に記載のスケジュール作成装置と、前記スケジュールに従って前記共有チャネルを用いてパケットデータを送信する送信手段と、を具備し、前記送信手段は、前記共有チャネルを用いてパケットデータを送信することを特徴とする基地局装置。
【請求項４】
Ｗ-ＣＤＭＡ方式にて個別物理チャネルを用いて請求項３記載の基地局装置と通信を行うと共に複数の通信端末装置が共通で使用する共有チャネルを用いてパケットデータを前記基地局装置から受信する通信端末装置であって、
前記個別物理チャネルのコンプレストモードにおいて前記基地局装置が自局宛の信号を送信しない時間である送信ギャップを取得する取得手段と、前記送信ギャップの時間に自局が属さない基地局装置から送信された信号を受信し、前記個別物理チャネルの信号を送信する時間に前記共有チャネルを用いて自局宛のパケットデータを受信し、前記送信ギャップの時間はパケットデータを受信しない受信手段と、を具備することを特徴とする通信端末装置。
【請求項５】
Ｗ-ＣＤＭＡ方式にて個別物理チャネルを用いて通信端末装置と通信を行うと共に複数の通信端末装置が共通で使用する共有チャネルを用いてパケットデータを時分割多重して通信端末装置に送信する基地局装置における無線通信プログラムであって、
前記個別物理チャネルのコンプレストモードにおいて信号を送信しない時間である送信ギャップを取得する取得手順と、前記個別物理チャネルの信号を送信する時間に前記個別物理チャネルに対応する通信端末装置宛に前記共有チャネルを用いてパケットデータを送信し、前記送信ギャップの時間に前記通信端末以外の通信端末装置宛に前記共有チャネルを用いてパケットデータを送信するスケジュールを作成するスケジュール作成手順と、前記スケジュールに従って前記共有チャネルを用いてパケットデータを送信する送信手順と、を実行する無線通信プログラム。
【請求項６】
Ｗ-ＣＤＭＡ方式にて個別物理チャネルを用いて通信端末装置と通信を行うと共に複数の通信端末装置が共通で使用する共有チャネルを用いてパケットデータを時分割多重して通信端末装置に送信する基地局装置の無線通信方法であって、
前記個別物理チャネルのコンプレストモードにおいて信号を送信しない時間である送信ギャップを取得する工程と、前記個別物理チャネルの信号を送信する時間に前記個別物理チャネルに対応する通信端末装置宛に前記共有チャネルを用いてパケットデータを送信し、前記送信ギャップの時間に前記通信端末以外の通信端末装置宛に前記共有チャネルを用いてパケットデータを送信するスケジュールを作成する工程と、前記スケジュールに従って前記共有チャネルを用いてパケットデータを送信する工程と、を具備する無線通信方法。
【発明の詳細な説明】
【０００１】
【発明の属する技術分野】
本発明は、スケジュール作成装置、基地局装置及び無線通信方法に関し、特にＤＳＣＨ（Ｄｏｗｎｌｉｎｋ  Ｓｈａｒｅｄ  Ｃｈａｎｎｅｌ）またはＨＳＤＰＡ（Ｈｉｇｈ  Ｓｐｅｅｄ  Ｄｏｗｎｌｉｎｋ  Ｐａｃｋｅｔ  Ａｃｃｅｓｓ）に用いて好適なスケジュール作成装置、基地局装置及び無線通信方法に関する。
【０００２】
【従来の技術】
ディジタル無線通信システムのアクセス方式の一つであるＣＤＭＡ（Ｃｏｄｅ  Ｄｉｖｉｓｉｏｎ  Ｍｕｌｔｉｐｌｅ  Ａｃｃｅｓｓ）において、Ｗ−ＣＤＭＡ（Ｗｉｄｅｂａｎｄ−ＣＤＭＡ）システムがある。このＷ−ＣＤＭＡの規格においては、複数の通信端末が共通に用いる下り回線のチャネルとしてＤＳＣＨが規定されている。
【０００３】
このＤＳＣＨは、複数の端末に所定の伝送単位（例えばフレーム単位）で割り当ててデータのみを伝送するチャネルであり、データ通信を行うチャネルである。したがって、ＤＳＣＨは、下り高速パケットデータ伝送への利用が期待されている。
【０００４】
ＤＳＣＨを使用する通信端末は、別途個別の下り回線（ＤＰＣＨ：Ｄｅｄｉｃａｔｅｄ  Ｐｈｙｓｉｃａｌ  ＣＨａｎｎｅｌ）を確立し、そのＤＣＨの信号に含まれる既知信号（例えばパイロット信号）を用いてパスサーチやチャネル推定を行う。あるいは、各通信端末に共通であるＰ−ＣＰＩＣＨ（Ｐｒｉｍａｒｙ−Ｃｏｍｍｏｎ  ＰＩｌｏｔ  ＣＨａｎｎｅｌ）の既知信号を用いてパスサーチやチャネル推定を行う。これにより、ＤＳＣＨ信号を確実に復調することができる。
【０００５】
また、複数の通信端末が共通に用いる下り回線のチャネルを用いて高速にパケットデータを伝送する通信方法の一つとしてＨＳＤＰＡがある。ＨＳＤＰＡでは、回線状態に応じてチャネルコーデック、拡散率、多重数、または（多値）変調を変更して伝送レートを変更することにより平均スループットを向上させることの出来る通信方法である。
【０００６】
一方、セルラー通信では、通信端末装置が移動することにより、通信相手の基地局装置を遷移することがある。
【０００７】
例えば、Ｗ−ＣＤＭＡ同士、またはＷ−ＣＤＭＡとＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）方式との間において、異なる周波数のキャリアでハンドオーバーを行う場合、通信端末装置は、通信中に、他の周波数の信号を受信して通信する基地局を遷移するために必要な信号レベルの測定、必要な制御情報の受信を行う必要がある。
【０００８】
そこで、Ｗ−ＣＤＭＡでは、基地局装置が、コンプレストモード（Ｃｏｍｐｒｅｓｓｅｄ  Ｍｏｄｅ）で信号を送信して自局の属するセル及び隣接セルの基地局装置からの情報をモニタする。
【０００９】
コンプレストモードでは、情報データのフレームに対する拡散率を一時的に下げることにより、フレーム間に拡散率の下がった一定の間隔の時間をつくってフレームを送信し、通信端末がこの空いた時間を用いて、自局の属するセル及び隣接セルの基地局装置からの情報をモニタする。
【００１０】
つまり、基地局装置は、通信に影響を及ぼさない範囲でデータを送信しない時間をつくり、通信端末装置は、この時間の間に自局の属するセル及び隣接セルの基地局装置からの情報をモニタする。
【００１１】
【発明が解決しようとする課題】
上記ＤＳＣＨまたはＨＳＤＰＡ等の共有チャネルを用いたパケットデータ伝送とコンプレストモードを共に適用した場合、通信端末装置がコンプレストモードで通信に使用していない周波数のキャリアセンスをしている時に、基地局装置が、当該通信端末装置にパケットデータを送信することがある。
【００１２】
例えば、通信端末装置は、他の基地局をサーチする場合に、パケットデータ受信に使用する周波数以外の信号を受信することがあるため、この時間に基地局から送信されたパケットデータを受信することができない。さらに、このパケットデータは、他の通信端末装置にとって干渉成分となる。この結果、システム全体のスループットが低下してしまう。
【００１３】
また、キャリアセンス中にパケットデータを受信するために複数の周波数の信号を受信できる回路とした場合、通信端末装置の回路規模が大きくなるという問題がある。
【００１４】
本発明はかかる点に鑑みてなされたものであり、共有チャネルを用いたパケットデータ伝送とコンプレストモードとを共に適用した場合に、システム全体のスループットを向上することのできるスケジュール作成装置、基地局装置及び無線通信方法を提供することを目的とする。
【００１７】
【課題を解決するための手段】
本発明のスケジュール作成装置は、Ｗ-ＣＤＭＡ方式にて個別物理チャネルを用いて通信端末装置と通信を行うと共に複数の通信端末装置が共通で使用する共有チャネルを用いてパケットデータを時分割多重して通信端末装置に送信する基地局装置に具備され、前記共有チャネルを用いて送信するパケットデータのスケジュールを作成するスケジュール作成装置であって、前記個別物理チャネルのコンプレストモードにおいて前記個別物理チャネルの信号を送信しない時間である送信ギャップを取得する取得手段と、前記個別物理チャネルの信号を送信する時間に前記個別物理チャネルに対応する通信端末装置宛に前記共有チャネルを用いてパケットデータを送信するスケジュールを作成するスケジュール作成手段と、を具備し、前記スケジュール作成手段は、前記送信ギャップの時間に前記通信端末以外の通信端末装置宛に前記共有チャネルを用いてパケットデータを送信するスケジュールを作成する構成を採る。
【００１８】
この構成によれば、パケットデータを送信しない時間をなくすことができ、時間的に効率よくパケットデータを送信することができる。この結果、システム全体のスループットを向上することができる。
【００１９】
本発明のスケジュール作成装置は、取得手段は、前記個別物理チャネルの送信信号のパワーを検出し、スケジュール作成手段は、前記送信信号のパワーが低い時間から優先的に前記共有チャネルを用いてパケットデータを送信するスケジュールを作成する構成を採る。
【００２０】
この構成によれば、他の通信端末装置の干渉を低減することができる。この結果、システム全体のスループットを向上することができる。
回路規模を小さくすることができる。
【００２１】
本発明の基地局装置は、上記いずれかに記載のスケジュール作成装置と、前記スケジュールに従って前記共有チャネルを用いてパケットデータを送信する送信手段と、を具備し、前記送信手段は、前記共有チャネルを用いてパケットデータを送信する構成を採る。
【００２２】
本発明の通信端末装置は、Ｗ-ＣＤＭＡ方式にて個別物理チャネルを用いて上記基地局装置と通信を行うと共に複数の通信端末装置が共通で使用する共有チャネルを用いてパケットデータを前記基地局装置から受信する通信端末装置であって、前記個別物理チャネルのコンプレストモードにおいて前記基地局装置が自局宛の信号を送信しない時間である送信ギャップを取得する取得手段と、前記送信ギャップの時間に自局が属さない基地局装置から送信された信号を受信し、前記個別物理チャネルの信号を送信する時間に前記共有チャネルを用いて自局宛のパケットデータを受信し、前記送信ギャップの時間はパケットデータを受信しない受信手段と、を具備する構成を採る。
【００２３】
この構成によれば、一つの受信回路でパケットデータの受信と自局の属するセル及び隣接セルの情報取得とを共に実現でき、回路規模を小さくすることができる。
【００２４】
本発明の無線通信プログラムは、Ｗ-ＣＤＭＡ方式にて個別物理チャネルを用いて通信端末装置と通信を行うと共に複数の通信端末装置が共通で使用する共有チャネルを用いてパケットデータを時分割多重して通信端末装置に送信する基地局装置における無線通信プログラムであって、前記個別物理チャネルのコンプレストモードにおいて信号を送信しない時間である送信ギャップを取得する取得手順と、前記個別物理チャネルの信号を送信する時間に前記個別物理チャネルに対応する通信端末装置宛に前記共有チャネルを用いてパケットデータを送信し、前記送信ギャップの時間に前記通信端末以外の通信端末装置宛に前記共有チャネルを用いてパケットデータを送信するスケジュールを作成するスケジュール作成手順と、前記スケジュールに従って前記共有チャネルを用いてパケットデータを送信する送信手順と、を実行するようにした。
【００２５】
このプログラムによれば、コンプレストモードにおいて信号を送信しない時間以外の時間にパケットデータを送信することにより、受信不可能なパケットデータを送信することがなくなり、通信端末装置への干渉を低減することができる。また、この結果、システム全体のスループットを向上させることができる。また、通信端末において、パケットデータの受信と自局の属するセル及び隣接セルの情報取得とを同時に行う必要がなくなり、一つの受信回路でパケットデータの受信と自局の属するセル及び隣接セルの情報取得とを共に実現でき、回路規模を小さくすることができる。
【００２６】
本発明の無線通信方法は、Ｗ-ＣＤＭＡ方式にて個別物理チャネルを用いて通信端末装置と通信を行うと共に複数の通信端末装置が共通で使用する共有チャネルを用いてパケットデータを時分割多重して通信端末装置に送信する基地局装置の無線通信方法であって、前記個別物理チャネルのコンプレストモードにおいて信号を送信しない時間である送信ギャップを取得する工程と、前記個別物理チャネルの信号を送信する時間に前記個別物理チャネルに対応する通信端末装置宛に前記共有チャネルを用いてパケットデータを送信し、前記送信ギャップの時間に前記通信端末以外の通信端末装置宛に前記共有チャネルを用いてパケットデータを送信するスケジュールを作成する工程と、前記スケジュールに従って前記共有チャネルを用いてパケットデータを送信する工程と、を具備するようにした。
【００２７】
この方法によれば、コンプレストモードにおいて信号を送信しない時間以外の時間にパケットデータを送信することにより、受信不可能なパケットデータを送信することがなくなり、通信端末装置への干渉を低減することができる。また、この結果、システム全体のスループットを向上させることができる。また、通信端末において、パケットデータの受信と自局の属するセル及び隣接セルの情報取得とを同時に行う必要がなくなり、一つの受信回路でパケットデータの受信と自局の属するセル及び隣接セルの情報取得とを共に実現でき、回路規模を小さくすることができる。
【００２８】
【発明の実施の形態】
本発明者らは、基地局装置と無線通信端末装置との通信において、共有チャネルを用いたパケットデータ伝送とコンプレストモードとを共に適用した場合、コンプレストモードのギャップとなる時間と、パケットデータ伝送の時間が重複することを見いだし、本発明をするに至った。
【００２９】
すなわち、本発明の骨子は、共有チャネルを用いたパケットデータ伝送において、コンプレストモードにおいて信号を送信しない時間以外の時間にパケットデータを送信することである。
【００３０】
以下、本発明の実施の形態について図面を参照して詳細に説明する。
【００３１】
（実施の形態１）
図１は、本発明の実施の形態１に係る基地局装置の構成を示すブロック図である。図１の基地局装置１００は、複数の通信端末装置と通信を行い、共有チャネル（Ｓｈａｒｅｄ  Ｃｈａｎｎｅｌ）を用いてパケットデータを送信する基地局装置である。ここで共有チャネルとは、ＤＳＣＨまたはＨＳＤＰＡ等の下りパケットデータ通信に用いられる共有チャネルである。
【００３２】
図１において、基地局装置１００は、ＣＭ制御部１０１と、スケジュール作成部１０２と、バッファ１０３と、スイッチ回路１０４と、符号化部１０５と、変調部１０６と、無線送信部１０７とから主に構成される。
【００３３】
ＣＭ制御部１０１は、制御局装置等の上位局から送信されたコンプレストモードに関する情報から各通信端末装置にコンプレストモードで信号を送信する時間をスケジュール作成部１０２及び符号化部１０５に出力し、符号化率の変更の指示を符号化部１０５に出力し、拡散率の変更の指示を変調部１０６に出力する。
【００３４】
コンプレストモードは、個別物理チャネルの情報データのフレームに対する拡散率を一時的に下げることにより、フレーム間に拡散率の下がった一定の間隔の時間をつくってフレームを送信し、通信端末がこの空いた時間を用いて、自局の属するセル及び隣接セルの基地局装置からの情報をモニタする。
【００３５】
スケジュール作成部１０２は、回線状況等の優先度情報とコンプレストモードで信号を送信する時間から各通信端末装置にパケットデータを送信する時間（順番）を決定し、このパケットデータを作成する時間を示すスケジュール情報をスイッチ回路１０４に出力する。
【００３６】
バッファ１０３は、各通信端末装置に送信するパケットデータを一時的に記憶し、スイッチ回路１０４に出力する。
【００３７】
スイッチ回路１０４は、スケジュール作成部１０２において作成されたスケジュールに従い、各通信端末装置に送信するパケットデータを順に符号化部１０５に出力する。
【００３８】
符号化部１０５は、スイッチ回路１０４から出力されたパケットデータを符号化して変調部１０６に出力する。同様に、符号化部１０５は、個別チャネルを用いて送信する音声データ、非制限データ、及びパケットデータを符号化して変調部に出力する。ＣＭ制御部１０１からコンプレストモードでデータを送信する指示があった場合、符号化部１０５は、データの符号化率を下げて符号化し変調部１０６に出力し、送信する信号の一定の送信時間単位（フレーム）にデータを送信する時間と送信しない時間を作り出す。
【００３９】
変調部１０６は、符号化部１０５から出力されたデータをそれぞれ変調、拡散し、データを多重して無線送信部１０７に出力する。ＣＭ制御部１０１からコンプレストモードでデータを送信する指示があった場合、変調部１０６は、データの拡散率を下げて拡散し、送信する信号の一定の送信単位時間（フレーム）にデータを送信する時間と送信しない時間を作り出す。
【００４０】
無線送信部１０７は、変調部１０６から出力されたデータを無線周波数に周波数変換して無線信号として送信する。
【００４１】
次に、本実施の形態に係る基地局装置のスケジューリングの動作について説明する。
【００４２】
図２は、本実施の形態に係る基地局装置において使用される優先度情報の一例を示す図である。図２において、横軸は、パケットデータを送信する時刻を示す。図２では、スロット（以下「ＳＬ」という）１からＳＬ１６における各通信端末宛に信号を送信する優先度情報を示す。ここでは、数字が大きいほど信号を送信する優先度が高い。また、図２においてＵＥは、通信端末装置を示す。
【００４３】
スケジュール作成部１０２は、スロット単位でＵＥの優先度情報を比較し、最も優先度の高いＵＥにパケットデータを送信するスケジュールを作成する。
【００４４】
例えば、ＳＬ１において、ＵＥ１宛の優先度が「３」、ＵＥ２宛の優先度が「２」、そして、ＵＥ３宛の優先度が「１」である。スケジュール作成部１０２は、優先度の最も高いＵＥ１にＳＬ１の時間でパケットデータを送信することを決定する。
【００４５】
そして、ＳＬ２において、ＵＥ１宛の優先度が「１」、ＵＥ２宛の優先度が「３」、そして、ＵＥ３宛の優先度が「２」である。スケジュール作成部１０２は、優先度の最も高いＵＥ２にＳＬ２の時間でパケットデータを送信することを決定する。同様に、スケジュール作成部１０２は、ＳＬ３以降についてもパケットデータの送信スケジュールを決定する。
【００４６】
図３は、本実施の形態に係る基地局装置において使用されるパケットデータ送信のスケジュールの一例を示す図である。図３において、横軸は、パケットデータを送信する時刻を示す。
【００４７】
図３のスケジュールでは、ＳＬ１において、ＵＥ１宛のパケットデータを送信し、ＳＬ２において、ＵＥ２宛のパケットデータを送信する。以下同様に、ＳＬ１６までのパケットデータ送信先を示す。
【００４８】
図３のスケジュールは、コンプレストモードにおける信号を送信しない区間（ギャップ：ＧＡＰ）を考慮していない。そこで、スケジュール作成部１０２は、図３のスケジュールにギャップを考慮したスケジュールを作成する。
【００４９】
図４は、本実施の形態に係る基地局装置における送信信号電力の一例を示す図である。図４において、横軸は、パケットデータを送信する時刻を示す。
【００５０】
ＣＭ制御部１０１は、制御局装置等の上位局から送信されたコンプレストモードに関する情報から各通信端末装置にコンプレストモードで信号を送信する時間を指示する。
【００５１】
図４において、ＵＥ１宛の送信では、ＳＬ５からＳＬ８と、ＳＬ１３からＳＬ１６の時間をＣ．Ｍ．フレーム（Ｃｏｍｐｒｅｓｓｅｄ  Ｍｏｄｅフレーム）とする。Ｃ．Ｍ．フレームのうち、ＳＬ５、ＳＬ８、ＳＬ１３、及びＳＬ１６において送信電力を上げてパケットデータを送信し、ＳＬ６、ＳＬ７、ＳＬ１４、及びＳＬ１５においてパケットデータを送信しない。
【００５２】
ＣＭ制御部１０１は、図３に示す優先度情報に従って作成したスケジュールで、ＵＥ１宛にパケットデータを送信しないスロットＳＬ６、ＳＬ７、ＳＬ１４、及びＳＬ１５にＵＥ１宛の送信スケジュールが割り当てられたスケジュールを削除する。例えば、ＣＭ制御部１０１は、ＳＬ７に割り当てられたＵＥ１宛のスケジュールを、ＵＥ１宛に信号を送信しないギャップと重複すると判断し、このスケジュールを削除する。
【００５３】
同様に、ＣＭ制御部１０１は、ＳＬ２及びＳＬ１１に割り当てられたＵＥ２宛のスケジュールを、ＵＥ２宛に信号を送信しないギャップと重複すると判断し、このスケジュールを削除する。
【００５４】
図５は、本実施の形態に係る基地局装置において使用されるパケットデータ送信のスケジュールの一例を示す図である。図５において、横軸は、パケットデータを送信する時刻を示す。
【００５５】
図５のスケジュールでは、パケットデータの送信先である通信端末毎にコンプレストモードのギャップでパケットデータを送信する予定が含まれていない。
【００５６】
次に、本実施の形態に係る通信端末装置について説明する。図６は、本実施の形態に係る通信端末装置の構成を示すブロック図である。図６において、通信端末装置６００は、無線受信部６０１と、ＨＳ−ＤＳＣＨ復調部６０２と、復号部６０３と、個別ＣＨ復調部６０４と、復号部６０５と、ＣＭＴ抽出部６０６とから主に構成される。
【００５７】
無線受信部６０１は、無線信号を受信してベースバンド周波数に変換し、得られた受信信号をＨＳ−ＤＳＣＨ復調部６０２及び個別ＣＨ復調部６０４に出力する。
【００５８】
ＣＭＴ抽出部６０６から自局宛に信号を送信しないギャップである指示を受けた場合、無線受信部６０１は、自局が属さない基地局装置が使用する周波数の無線信号を受信し、ハンドオーバー先となる基地局装置のサーチを行う。また、ＣＭＴ抽出部６０６から自局宛に信号を送信しないギャップではない指示を受けた場合、無線受信部６０１は、自局が属する基地局装置が使用する周波数の無線信号を受信する。
【００５９】
ここで、自局が属する基地局装置と自局が属さない基地局装置とが送信する信号の周波数が異なることがあるので、無線受信部６０１は、ＣＭＴ抽出部６０６の指示に従い、所望する信号の周波数の無線信号を受信する。
【００６０】
ＨＳ−ＤＳＣＨ復調部６０２は、受信信号を復調して復号部６０３に出力する。復号部６０３は、ＨＳ−ＤＳＣＨ復調部６０２において復調された受信信号を復号して共有チャネルで送信されたパケットデータを得る。
【００６１】
個別ＣＨ復調部６０４は、受信信号を復調して復号部６０５に出力する。復号部６０５は、個別ＣＨ復調部６０４において復調された受信信号を復号して個別チャネルで送信されたデータを得る。そして、個別ＣＨ復調部６０４は、このデータをＣＭＴ抽出部６０６に出力する。
【００６２】
ＣＭＴ抽出部６０６は、受信したデータからコンプレストモードの制御に関する情報を抽出し、この情報から基地局装置から自局宛に信号を送信しないギャップの時間を無線受信部に通知する。
【００６３】
このように、本実施の形態の基地局装置によれば、コンプレストモードにおいて信号を送信しない時間以外の時間にパケットデータを送信することにより、受信不可能なパケットデータを送信することがなくなり、通信端末装置への干渉を低減することができる。また、この結果、システム全体のスループットを向上させることができる。また、通信端末において、パケットデータの受信と自局の属するセル及び隣接セルの情報取得とを同時に行う必要がなくなり、一つの受信回路でパケットデータの受信と自局の属するセル及び隣接セルの情報取得とを共に実現でき、回路規模を小さくすることができる。
【００６４】
なお、本実施の形態の基地局装置は、ギャップを含む一送信時間単位（フレーム）全体の時間に通信端末装置宛にパケットデータを送信しない動作を行ってもよい。
【００６５】
（実施の形態２）
実施の形態２では、ある通信端末装置宛の個別チャネルがコンプレストモードでギャップとなる送信時間に、基地局装置が、他の通信端末装置宛のパケットデータを送信する例について説明する。
【００６６】
実施の形態２の基地局装置は、図１の基地局装置と同じ構成を採るが、図１のスケジュール作成部１０２において、コンプレストモードでギャップとなる送信時間に、他の通信端末装置宛のパケットデータを送信するスケジュールを作成する動作が図１の基地局装置１００と異なる。
【００６７】
図７は、本発明の実施の形態２に係る基地局装置において使用される優先度情報の一例を示す図である。図７において、横軸は、パケットデータを送信する時刻を示す。図７では、ＳＬ１からＳＬ１６における各通信端末宛に信号を送信する優先度情報を示す。ここでは、数字が大きいほど信号を送信する優先度が高い。また、図７においてＵＥは、通信端末装置を示す。
【００６８】
スケジュール作成部１０２は、スロット単位でＵＥの優先度情報を比較し、最も優先度の高いＵＥにパケットデータを送信するスケジュールを作成する。
【００６９】
例えば、ＳＬ１において、ＵＥ１宛の優先度が「３」、ＵＥ２宛の優先度が「２」、そして、ＵＥ３宛の優先度が「１」である。スケジュール作成部１０２は、優先度の最も高いＵＥ１にＳＬ１の時間でパケットデータを送信することを決定する。
【００７０】
そして、ＳＬ２において、ＵＥ１宛の優先度が「１」、ＵＥ２宛の優先度が「３」、そして、ＵＥ３宛の優先度が「２」である。スケジュール作成部１０２は、優先度の最も高いＵＥ２にＳＬ２の時間でパケットデータを送信することを決定する。同様に、スケジュール作成部１０２は、ＳＬ３以降についてもパケットデータの送信スケジュールを決定する。
【００７１】
そして、スケジュール作成部１０２は、各ＵＥについてコンプレストモードと通常モードで送信する時間にＣ．Ｍ．（Ｃｏｍｐｒｅｓｓｅｄ  Ｍｏｄｅ）計数それぞれ重み付けを行う。
【００７２】
図８は、本実施の形態に係る基地局装置における送信信号電力の一例を示す図である。図８において、横軸は、パケットデータを送信する時刻を示す。
【００７３】
ＣＭ制御部１０１は、制御局装置等の上位局から送信されたコンプレストモードに関する情報から各通信端末装置にコンプレストモードで信号を送信する時間を指示する。
【００７４】
図８において、ＵＥ１宛の送信では、ＳＬ５からＳＬ８と、ＳＬ１３からＳＬ１６の時間をＣ．Ｍ．フレーム（Ｃｏｍｐｒｅｓｓｅｄ  Ｍｏｄｅフレーム）とする。Ｃ．Ｍ．フレームのうち、ＳＬ５、ＳＬ８、ＳＬ１３、及びＳＬ１６において送信電力を上げてパケットデータを送信し、ＳＬ６、ＳＬ７、ＳＬ１４、及びＳＬ１５においてパケットデータを送信しない。
【００７５】
スケジュール作成部１０２は、ＵＥ３が通常モードで送信しているのでいずれの送信時間もＣ．Ｍ．計数を「１」とする。
【００７６】
これに対し、コンプレストモードで送信する場合、送信時間の一部がギャップとなり、通信端末装置は、他の周波数の信号を受信しているため、パケットデータを受信することができない。すなわち、コンプレストモードでは、通常モードよりパケットデータを送信できる時間の割合が少ない。そこで、スケジュール作成部１０２は、ギャップ以外の部分で特に通常の送信電力で送信する時間を優先的にパケットデータの送信時間として割り当てる。
【００７７】
例えば、基地局装置１００は、ＵＥ１宛にパケットデータを送信する場合、ＳＬ１からＳＬ４では、基地局装置１００は、ＵＥ１宛に通常の送信電力値で送信できるで、スケジュール作成部１０２は、Ｃ．Ｍ．計数を「１．５」とし、通常モードのＵＥ３よりこのＳＬ１からＳＬ４に優先的に割り当てられる設定とする。
【００７８】
そして、ギャップであるＳＬ６及びＳＬ７では、基地局装置１００は、ＵＥ１宛にパケットデータを送信した場合、ＵＥ１の自局の属するセル及び隣接セルのモニタ中でパケットデータを受信できない。さらに、このパケットデータは、他の通信端末装置にとって干渉成分となる。Ｃ．Ｍ．計数を「０」とし、ギャップでパケットデータを送信しない設定とする。
【００７９】
また、ＳＬ５及びＳＬ８は、ギャップで送信できない分の伝送レート低下を補うために通常より大きい送信電力値でパケットデータを送信する。大きな送信電力値で送信する信号は、自局にとって干渉成分となる。そこで、スケジュール作成部１０２は、大きな送信電力値で送信する時間を通常の送信電力値で送信可能な時間より低い優先度でスケジュールを設定する。
【００８０】
そして、スケジュール作成部１０２は、図７の回線状況等の優先度情報と、図８の送信電力とギャップに関する優先度情報とを通信端末単位で送信時間別に組み合わせた優先度情報を作成する。例えば、スケジュール作成部１０２は、図７の回線状況等の優先度情報と、図８の送信電力とギャップに関する優先度情報とを乗算して優先度情報を作成する。
【００８１】
図９は、本実施の形態に係る基地局装置において使用される優先度情報の一例を示す図である。図９の優先度情報は、図７の優先度情報と、図８の優先度情報とを通信端末単位で送信時間別に乗算した結果を優先度情報としている。
【００８２】
図９では、ＳＬ１でのＵＥ１宛の優先度情報は、図７のＳＬ１でのＵＥ１宛の優先度「３」に図８のＳＬ１でのＵＥ１宛の優先度「１．５」を乗算した結果「４．５」となる。同様に、他のスロット、他のＵＥの優先度情報も決定される。
【００８３】
図１０は、本実施の形態に係る基地局装置において使用されるパケットデータ送信のスケジュールの一例を示す図である。図１０において、横軸は、パケットデータを送信する時刻を示す。
【００８４】
スケジュール作成部１０２は、スロット単位でＵＥの優先度情報を比較し、最も優先度の高いＵＥにパケットデータを送信するスケジュールを作成する。
【００８５】
例えば、ＳＬ１において、ＵＥ１宛の優先度が「４．５」、ＵＥ２宛の優先度が「１」、そして、ＵＥ３宛の優先度が「１」である。スケジュール作成部１０２は、優先度の最も高いＵＥ１にＳＬ１の時間でパケットデータを送信することを決定する。
【００８６】
そして、ＳＬ２において、ＵＥ１宛の優先度が「１．５」、ＵＥ２宛の優先度が「０」、そして、ＵＥ３宛の優先度が「２」である。スケジュール作成部１０２は、優先度の最も高いＵＥ３にＳＬ２の時間でパケットデータを送信することを決定する。同様に、スケジュール作成部１０２は、ＳＬ３以降についてもパケットデータの送信スケジュールを決定する。
【００８７】
ここで、ギャップ区間は、優先度情報が「０」となり最も低くなるので、他の通信端末宛のパケットデータが優先的に送信されるスケジュールが作成される。
【００８８】
このように本実施の形態の基地局装置によれば、回線状況から決定されるパケットデータ送信の優先度に加えて、信号を送信しない区間には、パケットデータを送信しない重み付けを行い、信号を送信する区間では、送信電力値から重み付けを行い、重み付けを行った優先度で、パケットデータの送信のスケジュール割り当てを行い、各通信端末宛にパケットデータを送信することにより、パケットデータを送信しない時間をなくすことができ、時間的に効率よくパケットデータを送信することができる。この結果、システム全体のスループットを向上することができる。
【００８９】
なお、本実施の形態で設定したＣ．Ｍ．係数は、一例であり、係数の値は、特に限定されず、ギャップの有無、または送信電力値等の他の通信端末装置に対する干渉の度合い等により決定される係数であれば限定されない。また、上記説明では、送信電力値からＣ．Ｍ．係数を決定しているがこれに限定されず、コンプレストモードにおける送信方式の変化に関連するパラメータであればいずれのパラメータでもＣ．Ｍ．係数を決定することができる。
【００９０】
また、上記説明のコンプレストモードの種類に限定されず、パケットデータを送信しないギャップを設定するコンプレストモードを用いる通信方法であれば適用できる。
【００９１】
また、上記説明のスケジュールを決定する部分は、基地局装置以外にも搭載することができる。共有チャネルを使ってパケットデータを送信する装置及び送信を制御する装置であればいずれにも適用できる。例えば、ＲＮＣ等の基地局装置より上位の装置に上記スケジュールを設定する構成を搭載し、パケットデータを送信する基地局装置にスケジュールを通知し、基地局装置においてこのスケジュールに従い各通信端末装置宛にパケットデータを送信することもできる。
【００９２】
また、本発明は上記実施の形態に限定されず、種々変更して実施することが可能である。例えば、上記実施の形態では、基地局装置として行う場合について説明しているが、これに限られるものではなく、この無線通信方法をソフトウェアとして行うことも可能である。
【００９３】
例えば、上記無線通信方法を実行するプログラムを予めＲＯＭ（Ｒｅａｄ  Ｏｎｌｙ  Ｍｅｍｏｒｙ）に格納しておき、そのプログラムをＣＰＵ（Ｃｅｎｔｒａｌ  Ｐｒｏｃｅｓｓｏｒ  Ｕｎｉｔ）によって動作させるようにしても良い。
【００９４】
また、上記無線通信方法を実行するプログラムをコンピュータで読み取り可能な記憶媒体に格納し、記憶媒体に格納されたプログラムをコンピュータのＲＡＭ（Ｒａｎｄｏｍ  Ａｃｃｅｓｓ  ｍｅｍｏｒｙ）に記録して、コンピュータをそのプログラムにしたがって動作させるようにしても良い。
【００９５】
【発明の効果】
以上説明したように、本発明のスケジュール作成装置、基地局装置及び無線通信方法によれば、基地局装置において、共有チャネルを用いたパケットデータ伝送において、コンプレストモードにおいて信号を送信しない時間以外の時間にパケットデータを送信し、通信端末装置において、コンプレストモードのギャップの時間に自局の属するセル及び隣接セルのモニタを行い、ギャップ以外の時間にパケットデータを受信することにより、共有チャネルを用いたパケットデータ伝送とコンプレストモードとを共に適用した場合に、システム全体のスループットを向上することができる。
【図面の簡単な説明】
【図１】本発明の実施の形態１に係る基地局装置の構成を示すブロック図
【図２】上記実施の形態に係る基地局装置において使用される優先度情報の一例を示す図
【図３】上記実施の形態に係る基地局装置において使用されるパケットデータ送信のスケジュールの一例を示す図
【図４】上記実施の形態に係る基地局装置における送信信号電力の一例を示す図
【図５】上記実施の形態に係る基地局装置において使用されるパケットデータ送信のスケジュールの一例を示す図
【図６】上記実施の形態に係る通信端末装置の構成を示すブロック図
【図７】本発明の実施の形態２に係る基地局装置において使用される優先度情報の一例を示す図
【図８】上記実施の形態に係る基地局装置における送信信号電力の一例を示す図
【図９】上記実施の形態に係る基地局装置において使用される優先度情報の一例を示す図
【図１０】上記実施の形態に係る基地局装置において使用されるパケットデータ送信のスケジュールの一例を示す図
【符号の説明】
１０１  ＣＭ制御部
１０２  スケジュール作成部
１０３  バッファ
１０４  スイッチ回路
１０５  符号化部
１０６  変調部
１０７  無線送信部
６０１  無線受信部
６０２  ＨＳ−ＤＳＣＨ復調部
６０３、６０５  復号部
６０４  個別ＣＨ復調部
６０６  ＣＭＴ抽出部
【図１】
0003576525.tif 000002
【図２】
0003576525.tif 000003
【図３】
0003576525.tif 000004
【図４】
0003576525.tif 000005
【図５】
0003576525.tif 000006
【図６】
0003576525.tif 000007
【図７】
0003576525.tif 000008
【図８】
0003576525.tif 000009
【図９】
0003576525.tif 000010
【図１０】
0003576525.tif 000011